(57)【特許請求の範囲】
【請求項１】
分類ウェブページ切り替え方法であって、
タッチセンシティブ表示スクリーンを介して、ユーザが実行するスライド動作に関する情報を受信し、
前記スライド動作が指定スライド動作であるか否かを判定し、
前記スライド動作が前記指定スライド動作であった場合に、複数の分類ラベルを含む分類オプション領域を表示し、
前記複数の分類ラベルの中から分類ラベルを選択し、
前記スライド動作に基づいて、前記複数の分類ラベルの中から選択されている前記分類ラベルを順に変更し、
前記スライド動作の前記タッチセンシティブ表示スクリーンとの接触が終わった時に、現在の分類ウェブページを前記選択されている分類ラベルに対応する分類ウェブページに切り替えること、を備え、前記分類オプション領域の前記表示、前記分類ラベルの前記選択、および前記分類ラベルを前記順に変更すること、は、単一のスライド動作である同一の前記スライド動作に関連して実行される、方法。
【請求項２】
請求項１に記載の方法であって、前記スライド動作が前記指定スライド動作であった場合、前記複数の分類ラベルを含む前記分類オプション領域を表示することは、
前記スライド動作が下向きのスライド動作であった場合に、前記複数の分類ラベルを含む前記分類オプション領域を前記タッチセンシティブ表示スクリーンの上部に表示することを含む、方法。
【請求項３】
請求項１に記載の方法であって、前記スライド動作が前記指定スライド動作であった場合、前記複数の分類ラベルを含む前記分類オプション領域を表示することは、
前記スライド動作が上向きのスライド動作であった場合に、前記複数の分類ラベルを含む前記分類オプション領域を前記タッチセンシティブ表示スクリーンの下部に表示する工程、
前記スライド動作が右向きのスライド動作であった場合に、前記複数の分類ラベルを含む前記分類オプション領域を前記タッチセンシティブ表示スクリーンの左側に表示する工程、および、
前記スライド動作が左向きのスライド動作であった場合に、前記複数の分類ラベルを含む前記分類オプション領域を前記タッチセンシティブ表示スクリーンの右側に表示する工程の内の１工程を含む、方法。
【請求項４】
請求項１に記載の方法であって、前記スライド動作が前記指定スライド動作であった場合、前記複数の分類ラベルを含む前記分類オプション領域を表示することは、
表示をトリガされた前記分類オプション領域から選択されている前記分類ラベルが、設定された速度および設定された方向に従って、順に変更されることを含む、方法。
【請求項５】
請求項１に記載の方法であって、前記スライド動作が前記指定スライド動作であった場合、前記複数の分類ラベルを含む前記分類オプション領域を表示することは、さらに、
前記スライド動作の現在のスライド方向を決定することを含み、
前記複数の分類ラベルの中から選択されている前記分類ラベルを順に変更することは、前記スライド動作の前記現在のスライド方向に対応する方向に従って行われる、方法。
【請求項６】
請求項５に記載の方法であって、前記スライド動作が前記指定スライド動作であった場合、前記複数の分類ラベルを含む前記分類オプション領域を表示することは、さらに、
前記スライド動作の現在のスライド速度を決定することを含み、
前記複数の分類ラベルの中から選択されている前記分類ラベルを順に変更することは、前記スライド動作の前記現在のスライド速度に対応する速度および前記スライド動作の前記現在のスライド方向に対応する前記方向に従って行われる、方法。
【請求項７】
請求項１に記載の方法であって、前記スライド動作は、前記分類オプション領域と異なる前記タッチセンシティブ表示スクリーン上の領域で行われる、方法。
【請求項８】
分類ウェブページ切り替えのための携帯型デバイスであって、
タッチセンシティブ表示スクリーンと、
少なくとも１つのプロセッサであって、
前記タッチセンシティブ表示スクリーンを介して、ユーザが実行するスライド動作に関する情報を受信し、
前記スライド動作が指定スライド動作であるか否かを判定し、
前記スライド動作が前記指定スライド動作であった場合に、複数の分類ラベルを含む分類オプション領域を表示し、
前記複数の分類ラベルの中から分類ラベルを選択し、
前記指定スライド動作に基づいて、前記複数の分類ラベルの中から選択されている前記分類ラベルを順に変更し、
前記スライド動作の前記タッチセンシティブ表示スクリーンとの接触が終わった時に、現在の分類ウェブページを前記選択されている分類ラベルに対応する分類ウェブページに切り替えるように構成されている、少なくとも１つのプロセッサと、
前記分類オプション領域の前記表示、前記分類ラベルの前記選択、および前記分類ラベルを前記順に変更すること、は、単一のスライド動作である同一の前記スライド動作に関連して実行され、
前記少なくとも１つのプロセッサに接続され、前記少なくとも１つのプロセッサに命令を提供するように構成されたているメモリと、
を備える、デバイス。
【請求項９】
請求項８に記載のデバイスであって、前記分類オプション領域の表示は、
前記スライド動作が下向きのスライド動作であった場合、前記複数の分類ラベルを含む前記分類オプション領域を前記タッチセンシティブ表示スクリーンの上部に表示すること、
前記スライド動作が上向きのスライド動作であった場合、前記複数の分類ラベルを含む前記分類オプション領域を前記タッチセンシティブ表示スクリーンの下部に表示すること、
前記スライド動作が右向きのスライド動作であった場合、前記複数の分類ラベルを含む前記分類オプション領域を前記タッチセンシティブ表示スクリーンの左側に表示すること、
前記スライド動作が左向きのスライド動作であった場合、前記複数の分類ラベルを含む前記分類オプション領域を前記タッチセンシティブ表示スクリーンの右側に表示すること、
を含む、デバイス。
【請求項１０】
請求項８に記載のデバイスであって、前記分類オプション領域の表示は、設定された速度および設定された方向に従って、表示をトリガされた前記分類オプション領域から選択されている前記分類ラベルを順に変更することを含む、デバイス。
【請求項１１】
請求項８に記載のデバイスであって、さらに、
前記複数の分類ラベルを含む前記分類オプション領域の表示後に、前記スライド動作の現在のスライド方向を決定し、
前記スライド動作の前記現在のスライド方向に対応する方向に従って、表示のために選択された前記分類オプション領域から選択されている前記分類ラベルを順に変更する、デバイス。
【請求項１２】
請求項８に記載のデバイスであって、前記スライド動作は、前記分類オプション領域と異なる前記タッチセンシティブ表示スクリーン上の領域で行われる、デバイス。
【請求項１３】
分類ウェブページ切り替えのためのコンピュータプログラムであって、
タッチセンシティブ表示スクリーンを介して、ユーザが実行するスライド動作に関する情報を受信するための機能と、
前記スライド動作が指定スライド動作であるか否かを判定するための機能と、
前記スライド動作が前記指定スライド動作であった場合に、複数の分類ラベルを含む分類オプション領域を表示するための機能と、
前記複数の分類ラベルの中から分類ラベルを選択するための機能と、
前記スライド動作に基づいて、前記複数の分類ラベルの中から選択されている前記分類ラベルを順に変更するための機能と、
前記スライド動作の前記タッチセンシティブ表示スクリーンとの接触が終わった時に、現在の分類ウェブページを前記選択されている分類ラベルに対応する分類ウェブページに切り替えるための機能と、
をコンピュータによって実現させ、
前記分類オプション領域の前記表示、前記分類ラベルの前記選択、および前記分類ラベルを前記順に変更すること、は、単一のスライド動作である同一の前記スライド動作に関連して実行される、コンピュータプログラム。
【請求項１４】
請求項１３に記載のコンピュータプログラムであって、前記スライド動作が前記指定スライド動作であった場合、前記複数の分類ラベルを含む前記分類オプション領域を表示することは、
前記スライド動作が下向きのスライド動作であった場合、前記複数の分類ラベルを含む前記分類オプション領域を前記タッチセンシティブ表示スクリーンの上部に表示することを含む、コンピュータプログラム。
【請求項１５】
請求項１３に記載のコンピュータプログラムであって、前記スライド動作が指定スライド動作であった場合、前記複数の分類ラベルを含む前記分類オプション領域を表示することは、
前記スライド動作が上向きのスライド動作であった場合、前記複数の分類ラベルを含む前記分類オプション領域を前記タッチセンシティブ表示スクリーンの下部に表示すること、
前記スライド動作が右向きのスライド動作であった場合、前記複数の分類ラベルを含む前記分類オプション領域を前記タッチセンシティブ表示スクリーンの左側に表示すること、および、
前記スライド動作が左向きのスライド動作であった場合、前記複数の分類ラベルを含む前記分類オプション領域を前記タッチセンシティブ表示スクリーンの右側に表示することの内の１つを含む、コンピュータプログラム。
【請求項１６】
請求項１３に記載のコンピュータプログラムであって、前記スライド動作が指定スライド動作であった場合、前記複数の分類ラベルを含む前記分類オプション領域を表示することは、
表示をトリガされた前記分類オプション領域から選択されている前記分類ラベルが、設定された速度および設定された方向に従って、順に変更されることを含む、コンピュータプログラム。
【請求項１７】
請求項１３に記載のコンピュータプログラムであって、前記スライド動作が前記指定スライド動作であった場合、前記複数の分類ラベルを含む前記分類オプション領域を表示することは、さらに、
前記スライド動作の現在のスライド方向を決定することを含み、
前記複数の分類ラベルの中から選択されている前記分類ラベルを順に変更することは、前記スライド動作の前記現在のスライド方向に対応する方向に従って行われる、コンピュータプログラム。
【請求項１８】
請求項１７に記載のコンピュータプログラムであって、前記スライド動作が前記指定スライド動作であった場合、前記複数の分類ラベルを含む前記分類オプション領域を表示することは、さらに、
前記スライド動作の現在のスライド速度を決定することを含み、
前記複数の分類ラベルの中から選択されている前記分類ラベルを順に変更することは、前記スライド動作の前記現在のスライド速度に対応する速度および前記スライド動作の前記現在のスライド方向に対応する前記方向に従って行われる、コンピュータプログラム。
【請求項１９】
請求項１３に記載のコンピュータプログラムであって、前記スライド動作は、前記分類オプション領域と異なる前記タッチセンシティブ表示スクリーン上の領域で行われる、コンピュータプログラム。
【請求項２０】
請求項１に記載の方法であって、前記分類オプション領域の表示および前記現在の分類ウェブページの前記選択されている分類ラベルに対応する分類ウェブページへの切り替えは、同一の前記スライド動作に関連して実行される、方法。
【発明の詳細な説明】
【技術分野】
【０００１】
他の出願の相互参照
本願は、すべての目的のために参照により本明細書に組み込まれる、２０１２年１月１８日出願の発明の名称を「Ａ  ＭＥＴＨＯＤ  ＡＮＤ  ＭＯＢＩＬＥ  ＥＱＵＩＰＭＥＮＴ  ＦＯＲ  ＣＬＡＳＳＩＦＩＥＤ  ＰＡＧＥ  ＳＷＩＴＣＨＩＮＧ」とする中国特許出願第２０１２１００１６７５３．２号に基づく優先権を主張する。
【０００２】
本願は、分類ウェブページ切り替えのための方法および携帯型デバイスに関する。
【背景技術】
【０００３】
無線通信技術の発展により、ユーザには、より大きいネットワーク帯域幅およびより速いデータ伝送を提供されている。それに応じて、ユーザには、より多くのネットワークサービスを提供されうる。したがって、携帯型デバイスは、無線通信プロバイダによって提供されるサービスをサポートすると共に、より良好な無線サービス体験をユーザに提供するために、より多くの機能を提供しうる。例えば、ユーザは、携帯型デバイスを制御するためのタッチスクリーンを有する携帯型デバイス上で、タップおよびスライドなどの動作を実行できる。
【０００４】
携帯型デバイスの表示スクリーンのサイズが大きくなり、携帯型デバイスのハードウェア性能が向上するにつれて、以前にはパーソナルコンピュータ向けであったインターネットサービスが、ここ数年間で次第に携帯型デバイスに実装されてきた。例えば、ユーザは、コンテンツの豊富なウェブページを携帯型デバイス上で閲覧できる。
【０００５】
しかしながら、現在の携帯型デバイスの表示スクリーンのスクリーンサイズは、コンテンツの豊富なウェブページに比べると小さいままである。携帯型デバイスの表示スクリーンは、しばしば、コンテンツの豊富なウェブページに含まれるあらゆるタイプのコンテンツを完全には表示できない。例えば、ウェブページは、ユーザがウェブページを閲覧している時に必要になるいくつかの制御領域を含みうる。携帯型デバイスの限られた表示スクリーン内にできるだけ多くウェブページのメインコンテンツを表示するために、携帯型デバイスは、一般に、制御領域を隠している。ユーザは、制御領域へのアクセスを必要とする場合、表示スクリーンにタッチすることによって制御領域の表示をトリガした後に、制御領域にもう一度タッチすることによってウェブページを制御する。
【０００６】
例えば、商品情報ウェブページにおいて、ユーザは、商品情報ウェブページを閲覧している時に、閲覧した商品情報をレビューしたい場合がある。一般に、商品情報ウェブページは、商品情報を選別するための分類オプション領域を備える。商品情報ウェブページがユーザに対して表示されると、分類オプション領域は隠される。ユーザは、分類オプション領域を通して商品情報を閲覧したい場合、すなわち、様々なタイプの商品に対応して分類されたウェブページを切り替えたい場合、通例は以下の工程を実行する。
【０００７】
最初に、ユーザは、携帯型デバイスの表示スクリーン上の指定位置をタップし、携帯型デバイスは、タップ動作に基づいて、分類オプション領域を含むウェブページの表示をトリガする。
【０００８】
次に、ユーザは、分類オプション領域に含まれる分類ラベルを見ながら、所望の分類ラベルをタップして、分類ラベルを選択する。携帯型デバイスは、この第２のタップ動作に基づいて、選択された分類ラベルに対応する分類ウェブページの表示をトリガする。
【０００９】
分類ウェブページを切り替えるための上述の方法において、ユーザは、表示スクリーンに対して複数の動作を実行する。それに応じて、携帯型デバイスは、各ユーザ動作に対応するウェブページを生成して、対応するウェブページをユーザに対して表示し、その結果、ユーザは、表示されたウェブページに基づいてさらなる動作を実行できる。このように、分類ウェブページの切り替えは、ユーザおよび携帯型デバイスの間の複数回の相互作用を通して達成される。
【００１０】
したがって、分類ウェブページを切り替えるための相互作用の量が減少すれば、効率が向上し、携帯型デバイスのエネルギ消費が削減される。
【図面の簡単な説明】
【００１１】
以下の詳細な説明と添付の図面において、本発明の様々な実施形態を開示する。
【００１２】
【図１Ａ】いくつかの実施形態に従って、分類ウェブページを表示するようにプログラムされたコンピュータシステムを示す機能図。
【００１３】
【図１Ｂ】分類ウェブページ切り替え方法の一実施形態を示すフローチャート。
【００１４】
【図２】分類ウェブページ切り替え方法の別の実施形態を示す別のフローチャート。
【００１５】
【図３】ユーザが現在のウェブページ上でスライド動作を実行する一実施形態を示す図。
【００１６】
【図４】表示スクリーンの上部に表示されるようトリガされた分類オプション領域の一実施形態を示す図。
【００１７】
【図５】現在選択中の分類ラベルが分類ラベルＢである時にスライド動作をユーザが完了した一実施形態を示す図。
【００１８】
【図６】ユーザがスライド動作を完了した後に分類Ｂを表示する分類ウェブページの一実施形態を示す図。
【００１９】
【図７】３以上の分類ラベルを同時に表示する分類オプション領域の一実施形態を示す図。
【００２０】
【図８】円板の形状に表示された分類オプション領域に複数の分類ラベルが含まれている一実施形態を示す図。
【００２１】
【図９】分類ウェブページ切り替え携帯型デバイスの一実施形態を示す構造図。
【発明を実施するための形態】
【００２２】
本発明は、処理、装置、システム、物質の組成、コンピュータ読み取り可能な格納媒体上に具現化されたコンピュータプログラム製品、および／または、プロセッサ（プロセッサに接続されたメモリに格納および／またはそのメモリによって提供される命令を実行するよう構成されたプロセッサ）を含め、様々な形態で実装されうる。本明細書では、これらの実装または本発明が取りうる任意の他の形態を、技術と呼ぶ。一般に、開示された処理の工程の順序は、本発明の範囲内で変更されてもよい。特に言及しない限り、タスクを実行するよう構成されるものとして記載されたプロセッサまたはメモリなどの構成要素は、ある時間にタスクを実行するよう一時的に構成された一般的な構成要素として、または、タスクを実行するよう製造された特定の構成要素として実装されてよい。本明細書では、「プロセッサ」という用語は、１または複数のデバイス、回路、および／または、コンピュータプログラム命令などのデータを処理するよう構成された処理コアを指すものとする。
【００２３】
以下では、本発明の原理を示す図面を参照しつつ、本発明の１または複数の実施形態の詳細な説明を行う。本発明は、かかる実施形態に関連して説明されているが、どの実施形態にも限定されない。本発明の範囲は、特許請求の範囲によってのみ限定されるものであり、多くの代替物、変形物、および、等価物を含む。以下の説明では、本発明の完全な理解を提供するために、多くの具体的な詳細事項が記載されている。これらの詳細事項は、例示を目的としたものであり、本発明は、これらの具体的な詳細事項の一部または全てがなくとも特許請求の範囲に従って実施可能である。簡単のために、本発明に関連する技術分野で周知の技術要素については、本発明が必要以上にわかりにくくならないように、詳細には説明していない。
【００２４】
以下では、分類ウェブページ切り替えのための方法および携帯型デバイスを開示する。その方法は、ユーザが、携帯型デバイスの表示スクリーン上に表示された分類ウェブページを切り替えることを可能にする。
【００２５】
図１Ａは、いくつかの実施形態に従って、分類ウェブページを表示するようにプログラムされたコンピュータシステムを示す機能図である。明らかであるが、記載した分類ウェブページ表示技術を実行するために、他のコンピュータシステムアーキテクチャおよび構成を用いることも可能である。以下に述べるような様々なサブシステムを備えるコンピュータシステム１００は、少なくとも１つのマイクロプロセッササブシステム（プロセッサまたは中央処理装置（ＣＰＵ）１０２とも呼ばれる）を備える。例えば、プロセッサ１０２は、シングルチッププロセッサまたはマルチプロセッサによって実装できる。いくつかの実施形態において、プロセッサ１０２は、コンピュータシステム１００の動作を制御する汎用デジタルプロセッサである。いくつかの実施形態において、プロセッサ１０２は、さらに、１または複数のコプロセッサまたは専用プロセッサ（例えば、グラフィックプロセッサ、ネットワークプロセッサなど）を備える。メモリ１１０からリトリーブされた命令を用いて、プロセッサ１０２は、入力デバイス（例えば、画像処理デバイス１０６、Ｉ／Ｏデバイスインターフェース１０４）で受信される入力データの受信および操作、ならびに、出力デバイス（例えば、ディスプレイ１１８）でのデータの出力および表示を制御する。
【００２６】
プロセッサ１０２は、メモリ１１０と双方向に接続されており、メモリ１１０は、例えば、１または複数のランダムアクセスメモリ（ＲＡＭ）ならびに／もしくは１または複数の読み出し専用メモリ（ＲＯＭ）を含みうる。当業者に周知のように、メモリ１１０は、一般的な記憶領域、一時（例えば、スクラッチパッド）メモリ、および／または、キャッシュメモリとして用いることができる。メモリ１１０は、さらに、入力データおよび処理済みデータを格納するため、プロセッサ１０２上で実行される処理のための他のデータおよび命令に加えて、データオブジェクトおよびテキストオブジェクトの形態で、プログラミング命令およびデータを格納するために利用できる。また、当業者に周知のように、メモリ１１０は、通例、機能（例えば、プログラムされた命令）を実行するためにプロセッサ１０２によって用いられる基本的な動作命令、プログラムコード、データ、および、オブジェクトを備える。例えば、メモリ１１０は、例えば、データアクセスが双方向である必要があるか、単方向である必要があるかに応じて、後述する任意の適切なコンピュータ読み取り可能な記憶媒体を含みうる。例えば、プロセッサ１０２は、頻繁に必要になるデータをメモリ１１０に含まれるキャッシュメモリに直接的かつ非常に迅速に格納しリトリーブすることもできる。
【００２７】
着脱可能なマスストレージデバイス１１２が、コンピュータシステム１００にさらなるデータ記憶容量を提供しており、プロセッサ１０２に対して双方向（読み出し／書き込み）または単方向（読み出しのみ）で任意選択的に接続されている。固定マスストレージ１２０も、例えば、さらなるデータ記憶容量を提供しうる。例えば、ストレージデバイス１１２および／または１２０は、磁気テープ、フラッシュメモリ、ＰＣカード、ハードドライブ（例えば、磁気、光学、または、ソリッドステートドライブ）のような携帯型マスストレージデバイス、ホログラフィックストレージデバイス、および、その他のストレージデバイスなどのコンピュータ読み取り可能な媒体を含みうる。マスストレージ１１２および／または１２０は、一般に、プロセッサ１０２によって通例はあまり利用されないさらなるプログラミング命令、データなどを格納する。マスストレージ１１２および１２０に保持された情報は、必要であれば、仮想メモリとしてのメモリ１１０（例えば、ＲＡＭ）の一部に標準的な方式で組み込まれうることが理解される。
【００２８】
プロセッサ１０２がストレージサブシステムにアクセスできるようにすることに加えて、バス１１４は、その他のサブシステムおよびデバイスへのアクセスを可能にするために用いられてもよい。図に示すように、これらは、ディスプレイ１１８、ネットワークインターフェース１１６、入力／出力（Ｉ／Ｏ）デバイスインターフェース１０４、画像処理デバイス１０６、ならびに、その他のサブシステムおよびデバイスを含みうる。例えば、画像処理デバイス１０６は、カメラ、スキャナなどを含みうる；Ｉ／Ｏデバイスインターフェース１０４は、タッチスクリーン（例えば、ジェスチャ解釈をサポートする容量式タッチセンシティブスクリーン）、マイクロホン、サウンドカード、スピーカ、キーボード、ポインティングデバイス（例えば、マウス、スタイラス、人間の指）、全地球測位システム（ＧＰＳ）受信機、加速度計と相互作用するためのデバイスインターフェース、ならびに／もしくは、システム１００と相互作用するための任意のその他の適切なデバイスインターフェースを含みうる。複数のＩ／Ｏデバイスインターフェースが、コンピュータシステム１００と共に用いられてよい。Ｉ／Ｏデバイスインターフェースは、プロセッサ１０２がデータを送信すること、ならびに、より典型的には、他のデバイス（キーボード、ポインティングデバイス、マイクロホン、タッチスクリーン、トランスデューサカードリーダ、テープリーダ、音声または手書き認識装置、バイオメトリクスリーダ、カメラ、携帯型マスストレージデバイス、および、他のコンピュータなど）からデータを受信することを可能にする汎用インターフェースおよびカスタマイズされたインターフェースを含みうる。
【００２９】
ネットワークインターフェース１１６は、図に示すように、ネットワーク接続を用いて、別のコンピュータ、コンピュータネットワーク、または、遠隔通信ネットワークにプロセッサ１０２を接続することを可能にする。例えば、ネットワークインターフェース１１６を通して、プロセッサ１０２は、方法／処理ステップを実行する過程で、別のネットワークから情報（例えば、データオブジェクトまたはプログラム命令）を受信したり、別のネットワークに情報を出力したりすることができる。情報は、しばしば、プロセッサ上で実行される一連の命令として表され、別のネットワークから受信されたり、別のネットワークへ出力されたりしうる。インターフェースカード（または同様のデバイス）と、プロセッサ１０２によって実装（例えば、実行／実施）される適切なソフトウェアとを用いて、コンピュータシステム１００を外部ネットワークに接続し、標準プロトコルに従ってデータを転送することができる。例えば、本明細書に開示された様々な処理の実施形態は、プロセッサ１０２上で実行されてもよいし、処理の一部を共有するリモートプロセッサと共に、ネットワーク（インターネット、イントラネットワーク、または、ローカルエリアネットワークなど）上で実行されてもよい。さらなるマスストレージデバイス（図示せず）が、ネットワークインターフェース１１６を通してプロセッサ１０２に接続されてもよい。
【００３０】
さらに、本明細書に開示された様々な実施形態は、さらに、様々なコンピュータ実装された動作を実行するためのプログラムコードを備えたコンピュータ読み取り可能な媒体を含むコンピュータストレージ製品に関する。コンピュータ読み取り可能な媒体は、データを格納できる任意のデータストレージデバイスを含み、そのデータは、後にコンピュータシステムによって読み出されうる。コンピュータ読み取り可能な媒体の例は、以下を含むがそれらに限定されない。ディスクおよび磁気テープなどの磁気媒体、ＣＤ−ＲＯＭディスクなどの光学媒体、光学ディスクなどの磁気光学媒体、ならびに、特定用途向け集積回路（ＡＳＩＣ）、プログラム可能論理デバイス（ＰＬＤ）、および、ＲＯＭ／ＲＡＭデバイスなど、特別に構成されたハードウェアデバイス。プログラムコードの例としては、例えば、コンパイラによって生成されるマシンコード、または、インタープリタを用いて実行できる高水準コード（例えば、スクリプト）を含むファイルが挙げられる。
【００３１】
図１Ａに示したコンピュータシステムは、本明細書に開示された様々な実施形態と共に利用するのに適切なコンピュータシステムの一例にすぎない。かかる利用に適した他のコンピュータシステムは、より多いまたは少ないサブシステムを含みうる。いくつかのコンピュータシステムにおいて、サブシステムは、構成要素を共有しうる（例えば、スマートフォン、タブレットなど、タッチスクリーンを備えたデバイスについては、Ｉ／Ｏデバイスインターフェース１０４およびディスプレイ１１８が、ユーザ入力の検出およびユーザに対する出力の表示の両方を行うタッチセンシティブスクリーン構成要素を共有する）。さらに、バス１１４は、サブシステムをつなぐよう機能する任意の相互接続スキームの例である。異なる構成のサブシステムを有する他のコンピュータアーキテクチャが利用されてもよい。
【００３２】
図１Ｂは、分類ウェブページ切り替え方法の一実施形態を示すフローチャートである。方法１９０は以下の工程を含む。
【００３３】
工程Ｓ１１０では、携帯型デバイスは、携帯型デバイスのスクリーン上でのスライド動作を検出する。スライド動作中、ユーザは、タッチセンシティブ表示スクリーンとの接触を維持する。例えば、ユーザは、タッチスクリーン上に１または複数の指を載せたまま、指を移動させることができる。工程Ｓ１２０では、携帯型デバイスのスクリーンは、分類オプション領域を表示する。分類オプション領域は、スライド動作が指定スライド動作であった場合に、複数の分類ラベルを含む。図４および図５（後に詳述する）を参照すると、分類Ａが、スライド動作に基づいて分類Ｂに切り替えられる。分類ＡおよびＢは分類ラベルを表しており、分類ラベルは分類オプション領域に配置されている。スライド動作は、分類の切り替えを合図するために、下、上、左、右、円、三角形、文字、図形などであってよい。指定スライド動作が、特定のスライド動作に対応しうる。指定スライド動作は、ユーザによって設定されうる。スライド動作は、分類領域から離れた領域で行う。スライド動作に応答して、選択中の分類が、分類Ａから分類Ｂに切り替わる。したがって、ユーザは、分類ラベルを用いて分類Ｂを直接選択する必要がない。図４では、下向きのスライド動作が図示されており、後に説明する。
【００３４】
ユーザがスライド動作を続ける間（例えば、ユーザの指がスクリーン上でスワイプし続ける間）、デバイスは、工程Ｓ１３０において、それに応じて、選択されている分類ラベルを連続的に変更して、工程Ｓ１４０において、現在選択中の分類ラベルを表示する。ユーザがスライド動作を終えると（例えば、ユーザの指がスクリーンから離れると）、工程Ｓ１５０において、携帯型デバイスは、現在の分類ウェブページを、現在選択中の分類ラベルに対応する分類ウェブページに切り替える。
【００３５】
以下では、本願によって提供される方法および携帯型デバイスについて説明する。
【００３６】
図２は、分類ウェブページ切り替え方法の別の実施形態を示す別のフローチャートである。方法２００は以下の工程を含む。
【００３７】
ユーザが、携帯型デバイスの表示スクリーン上の現在のウェブページ上でスライド動作を実行しうる。スライド動作は、表示スクリーンに対するジェスチャとして記載することもでき、表示スクリーンとの接触を含む。
【００３８】
いくつかの実施形態において、現在のウェブページは、複数の分類ウェブページの中の１つの分類に関連する分類ウェブページでありうる。分類の例としては、Ｙａｈｏｏのホームページ（ｗｗｗ．ｙａｈｏｏ．ｃｏｍ）などのウェブページで見られるＷｅｂ、Ｉｍａｇｅｓ、Ｖｉｄｅｏ、Ｌｏｃａｌ、および、Ｎｅｗｓが挙げられる。いくつかの実施形態において、現在のウェブページは、分類ウェブページではなく未分類の全体的なウェブページでありうる。例えば、全体的なウェブページは、ウェブサイトのホームページ（ｗｗｗ．ｙａｈｏｏ．ｃｏｍなど）でありうる。
【００３９】
工程Ｓ２１０において、携帯型デバイスは、携帯型デバイスの表示スクリーン上で受信されたスライド動作を検出するよう構成されている。スライド動作の検出は、様々な周知の方法によって（例えば、携帯型デバイスのオペレーティングシステムによってサポートされたアプリケーションプログラミングインターフェース（ＡＰＩ）に従って）検出されうる。
【００４０】
工程Ｓ２２０において、携帯型デバイスは、検出されたスライド動作が指定スライド動作であるか否かを判定するよう構成されている。検出されたスライド動作が指定スライド動作でない場合、工程Ｓ２３０が実行される。検出されたスライド動作が指定スライド動作である場合、工程Ｓ２４０が実行される。
【００４１】
工程Ｓ２２０において、指定スライド動作は、予め設定されている。例えば、指定スライド動作は、タッチスクリーンを有する携帯型デバイスに対する現行ユーザの操作の癖に基づいて予め設定できる。指定スライド動作は、下向きのスライド動作すなわち下向きのスワイプとして設定されてもよいし、右向きのスライド動作すなわち右向きのスワイプとして設定されてもよい。下向きのスライド動作は、プルダウンジェスチャに対応するジェスチャまたはスクロールダウン動作でありうる。右向きのスライド動作は、プッシュアサイド（脇によける）ジェスチャに対応するジェスチャまたは右へのスクロール動作でありうる。
【００４２】
さらに、複数の指定スライド動作が、指定スライド動作として設定されてもよい。例えば、複数の指定スライド動作は、下向きのスライド動作および右向きのスライド動作を含むよう設定されてよい。
【００４３】
さらに、指定スライド動作は、携帯型デバイスの表示スクリーンの現在の表示フォーマットに対応するように設定されうる。例えば、表示スクリーンの現在の表示フォーマットが垂直スクリーン表示である場合、指定スライド動作は、下向きのスライド動作に設定されうる。現在の表示フォーマットが水平スクリーン表示である場合、指定スライド動作は、右向きのスライド動作または左向きのスライド動作に設定されうる。
【００４４】
スライド動作が予め設定された指定スライド動作に一致しないと携帯型デバイスが判定した場合、工程Ｓ２３０において、携帯型デバイスは、検出されたスクリーン動作が分類ウェブページの切り替え動作を実行する意図ではなかったと判定しうる。したがって、携帯型デバイスは、分類ウェブページ切り替えの処理をキャンセルするよう構成される。
【００４５】
さらに、この工程において、携帯型デバイスは、スライド動作の表す意味に基づいて、さらなる動作をトリガする。さらなる動作の詳細については後述する。
【００４６】
スライド動作が予め設定された指定スライド動作に一致すると判定された場合、工程２４０において、携帯型デバイスは、複数の分類ラベルを含む分類オプション領域を表示スクリーン上に表示するよう構成されている。
【００４７】
別の例において、分類オプション領域の表示は、予め設定された指定スライド動作の特徴に基づいてもよい。分類オプション領域の表示は、ユーザの操作の癖と関連しうる。例えば、分類オプション領域の表示は、以下の動作の任意の組み合わせであってよい。
【００４８】
複数の分類ラベルを含む分類オプション領域の表示は、スライド動作が下向きのスライド動作であった場合、表示スクリーンの上部になされてよい。
【００４９】
複数の分類ラベルを含む分類オプション領域の表示は、スライド動作が上向きのスライド動作であった場合、表示スクリーンの下部になされてよい。
【００５０】
複数の分類ラベルを含む分類オプション領域の表示は、スライド動作が右向きのスライド動作であった場合、表示スクリーンの左側になされてよい。
【００５１】
複数の分類ラベルを含む分類オプション領域の表示は、スライド動作が左向きのスライド動作であった場合、表示スクリーンの右側になされてよい。
【００５２】
例えば、ユーザは、携帯端末を使用する時、幅方向にわたって携帯端末を握り、表示スクリーンの長さ方向のコンテンツを上から下に向かって閲覧しうる。したがって、携帯型デバイスは、ユーザが下方向のスライド動作を行った時に表示スクリーンの上部に分類オプション領域を表示するようカスタマイズされうる。
【００５３】
様々なスライド動作の例を図３および図４に示す。図３は、ユーザが現在のウェブページ上でスライド動作を実行する一実施形態を示す図である。図４は、表示スクリーンの上部に表示されるようトリガされた分類オプション領域の一実施形態を示す図である。図３において、現在のウェブページが分類Ａに対応する分類ウェブページであると仮定すると、一例として、分類オプション領域は、下向きのスライド動作によってトリガされる。図に示した現在のウェブページにおいて、ユーザは、表示スクリーン上で下向きのスライド動作を実行する。携帯型デバイスは、下向きのスライド動作の結果として、図４に示すように、表示スクリーンの上部に分類オプション領域を表示する。分類オプション領域は、分類Ａおよび分類Ｂの分類ラベルを含む。分類Ａおよび分類Ｂの例としては、Ｗｅｂ、Ｉｍａｇｅｓ、Ｖｉｄｅｏ、Ｌｏｃａｌ、Ｎｅｗｓなどが挙げられる。分類Ａおよび分類Ｂの別の例としては、Ｍｏｖｉｅｓ、Ｍｕｓｉｃ、Ｇａｍｅｓなどが挙げられる。多くの異なる分類オプションを用いることができる。
【００５４】
複数の分類ラベルを含む分類オプション領域が表示された後、携帯型デバイスは、工程Ｓ２５０において、分類ラベルを選択するよう構成されている。いくつかの実施形態において、分類ラベルは、別個の領域で行われるスライド動作に基づいて選択されうる。工程Ｓ２６０において、スライド動作が進行する間、携帯型デバイスは、スライド動作中のユーザの指の現在位置に基づいて、複数の分類ラベルの中から選択されている分類ラベルを順に変更するよう構成されている。例えば、図４に示したように、分類Ａに対応する分類ラベルが選択され変更される。分類Ａに対応する分類ラベルを指し示す矢印は、分類Ａに対応する分類ラベルが選択されていることを示している。
【００５５】
いくつかの実施形態において、スライド動作が指定スライド動作であった場合、携帯型デバイスは、ユーザが指定スライド動作によって分類ラベルを選択することを意図しており、ページスクロール動作など別の動作を意図していないと見なす。
【００５６】
いくつかの実施形態において、分類ラベルを選択するためのトリガ方法は、予め設定された方向および速度に基づく。いくつかの実施形態において、トリガ方法は、ユーザの現在のスライド動作の後の動作に基づく。
【００５７】
トリガ方法の第１の実施形態では、複数の分類ラベルを含む分類オプション領域の表示後に、携帯型デバイスは、設定された速度および設定された方向に従って、表示をトリガされた分類オプション領域から選択されている分類ラベルを順に変更する。例えば、ユーザの操作の癖によって、設定される方向は、左から右であってもよいし、右から左であってもよい。別の例において、設定される方向は、上から下であってもよいし、下から上であってもよい。
【００５８】
トリガ方法の第２の実施形態において、ユーザは、表示スクリーン上でスライド動作を実行する。例えば、分類オプション領域が表示をトリガされた後、ユーザは、表示スクリーンとの接触を維持し、その後、次のスライド動作を実行して、選択中の分類ラベルを順に変化させる方向を制御する。それに応じて、携帯型デバイスは、次のスライド動作の現在のスライド方向を決定する。選択中の分類ラベルは、次のスライド動作の現在の決定済みスライド方向に対応する方向に切り替えられる。例えば、現在のスライド方向が右方向である場合、切り替えの順序は左から右である。具体的な現在のスライド方向が左方向である場合、切り替えの順序は右から左である。具体的な現在のスライド方向が下方向である場合、切り替えの順序は上から下である。具体的な現在のスライド方向が上方向である場合、切り替えの順序は下から上である。上記の例において、選択される分類ラベルの切り替えの順序は、設定された方向に対応しうる。
【００５９】
トリガ方法の第３の実施形態において、ユーザは、分類オプション領域４１０の表示をトリガするスライド動作を表示スクリーン上で実行した後、表示スクリーンとの接触を維持し、その後、次のスライド動作の速度を用いて、選択中の分類ラベルの変更速度を制御する。それに応じて、携帯型デバイスは、次のスライド動作の現在のスライド速度を決定し、選択されている現在の分類ラベルは、次のスライド動作の現在のスライド速度に対応する速度で変化する。現在のスライド速度が速くなるほど、対応する順次変更の速度が速くなる。図４に示すように、次のスライド動作は、ページコンテンツ領域４２０で行われる別の上から下へのスライド動作であってよく、カテゴリＡ、Ｂなどの変更速度すなわち切り替え速度は、スライド動作の速度に基づいてよい。この場合、現在選択中の分類ラベルへの変更速度は、予め設定された速度に一致してもよい。
【００６０】
トリガ方法の第４の実施形態において、ユーザは、分類オプション領域の表示をトリガするスライド動作を表示スクリーン上で実行した後、表示スクリーンとの接触を維持し、その後、次のスライド動作の方向を用いて、選択中の分類ラベルの順次変更を制御すると共に、次のスライド動作の速度を用いて、選択中の分類ラベルの順次変更の速度を制御する。それに応じて、携帯型デバイスは、スライド動作の現在のスライド速度および現在のスライド方向を決定し、選択に向けてトリガされる分類ラベルは、スライド動作の現在のスライド速度に対応する速度およびスライド動作の現在のスライド方向に対応する方向で順次変更される。具体的な速度および変更方向については、上述の第２および第３のトリガ方法を参照できる。
【００６１】
工程Ｓ２６０において複数の分類ラベルの中から選択されている分類ラベルを順に変更する際に、携帯型デバイスは、分類ラベルの選択に基づいて、携帯型デバイス上でユーザのスライド動作が終了したことを決定する。換言すると、ユーザは、携帯型デバイスの表示スクリーンとの接触を終える。例えば、現在のスライド動作は、現在選択されている分類ラベルがユーザの閲覧したい分類ウェブページに対応する分類ラベルである時に終了する。
【００６２】
図５は、現在選択中の分類ラベルが分類ラベルＢである時にスライド動作をユーザが完了した一実施形態を示す図である。例えば、図５に示すように、ユーザは、現在選択中の分類ラベルが分類Ｂである時に、現在のスライド動作を終了する。
【００６３】
工程Ｓ２７０において、携帯型デバイスの表示スクリーンとの接触が終わったことを携帯型デバイスが検出した場合、携帯型デバイスは、現在の分類ウェブページを、現在選択されている分類ラベルに対応する分類ウェブページに切り替えるよう構成されている。
【００６４】
図６は、ユーザがスライド動作を完了した後に分類Ｂを表示する分類ウェブページの一実施形態を示す図である。例えば、図６に示すように、現在選択されている分類ラベルが分類Ｂの分類ラベルである場所でユーザがスライド動作を終了すると、分類Ｂの分類ウェブページが表示される。
【００６５】
図３ないし図６に示したウェブページ表示の図では、２つの分類ラベルが分類オプション領域に現在表示されている。また、２つの分類ラベルの表示フォーマットは水平方向である。
【００６６】
図７は、３以上の分類ラベルを同時に表示する分類オプション領域の一実施形態を示す図である。いくつかの実施形態では、図７に示すように、３以上の分類ラベルが表示スクリーンに同時に表示されうる。さらに、予め設定された表示フォーマットがない。
【００６７】
分類ラベルの選択は、１組の所定の条件が満たされた時に行われてよい。例えば、所定の条件は、携帯型デバイスが分類オプション領域４１０を表示し、スライド動作が指定スライド動作であることを含んでよい。別の例において、所定の条件は、携帯型デバイスが分類オプション領域４１０を表示せず、スライド動作が指定スライド動作であることを含んでよく、所定の条件が満たされた場合に、携帯型デバイスは分類オプション領域４１０を表示する。上記の例では、所定の条件が満たされた後、携帯型デバイスは、分類オプション領域を表示し、スライド動作は指定スライド動作であり、選択対象の分類ラベルＡ、Ｂ、および、Ｃが順に選択される。換言すると、指定スライド動作が継続する間に、選択されている分類ラベルは、分類ラベルＡから分類ラベルＢへ、そして分類ラベルＣへと切り替わる。切り替えは、指定スライド動作の所定の距離または時間の長さに基づいて決定されうる。
【００６８】
いくつかの実施形態において、指定スライド動作は、選択されている分類ラベルを分類ラベルＡから分類ラベルＢ、分類ラベルＣ、そして分類ラベルＡへと順に変化させる。いくつかの実施形態において、指定スライド動作は、選択されている分類ラベルを分類ラベルＣから分類ラベルＢ、分類ラベルＡ、そして分類ラベルＣへと順に変化させる。
【００６９】
図８は、円板の形状に表示された分類オプション領域に複数の分類ラベルが含まれている一実施形態を示す図である。例えば、図８に示すように、複数の分類ラベルが、円板形状に表示されうる。
【００７０】
工程Ｓ２１０からＳ２７０に記載した上記の処理を用いることにより、ユーザは、一度だけ表示スクリーンに触れればよく、それに応じて、携帯型デバイスは、ユーザの１回のタッチ動作に基づいて、分類ウェブページ切り替えを完了させることができる。したがって、この処理は、ユーザと携帯型デバイスとの間の複数回の相互作用を必要とする従来の切り替え方法よりも効率的に分類ウェブページを切り替える方法を提供する。
【００７１】
図９は、分類ウェブページ切り替え携帯型デバイスの一実施形態を示す構造図である。分類ウェブページ切り替え方法１９０および２００は、携帯型デバイス９００によって実施されうる。携帯型デバイス９００は、取得ユニット９１０、判定ユニット９２０、表示ユニット９３０、選択ユニット９４０、変更ユニット９５０、および、切り替えユニット９６０を備える。
【００７２】
取得ユニット９１０は、携帯型デバイスの表示スクリーンすなわち表示ユニット９３０上で受信したスライド動作を取得するよう構成されている。
【００７３】
判定ユニット９２０は、受信したスライド動作が指定スライド動作であるか否かを判定するよう構成されている。
【００７４】
表示ユニット９３０は、受信したスライド動作が指定スライド動作であった場合に、複数の分類ラベルを有する分類オプション領域を表示するよう構成されている。いくつかの実施形態において、受信したスライド動作が指定スライド動作でなかった場合、表示ユニット９３０は、分類ウェブページ切り替えの処理をキャンセルすることができる。
【００７５】
選択ユニット９４０は、複数の分類ラベルから選択される分類ラベルを選択するよう構成されている。いくつかの実施形態において、分類ラベルは、スライド動作に基づいて選択されうる。いくつかの実施形態において、分類ラベルは、ユーザクリックによって選択されうる。
【００７６】
変更ユニット９５０は、受信したスライド動作に基づいて、選択されている分類ラベルを順に変更するよう構成されている。換言すると、ユーザがスライド動作を続ける間（例えば、ユーザの指がスクリーン上でスワイプし続ける間）、変更ユニット９５０は、それに応じて、どの分類ラベルが選択されているのかを連続的に変更して、現在選択されている分類ラベルを表示する。
【００７７】
切り替えユニット９６０は、受信したスライド動作の表示スクリーンとの接触が終わった時に、現在の分類ウェブページを、現在選択されている分類ラベルに対応する分類ウェブページに切り替えるよう構成されている。換言すると、ユーザがスライド動作を終えると（例えば、ユーザの指がスクリーンから離れると）、切り替えユニット９６０は、現在の分類ウェブページを、現在選択されている分類ラベルに対応する分類ウェブページに切り替える。
【００７８】
いくつかの実施形態において、表示ユニット９３０は、スライド動作が下向きのスライド動作であった場合に、複数の分類ラベルを含む分類オプション領域を表示スクリーンの上部に表示するよう構成されている。
【００７９】
いくつかの実施形態において、表示ユニット９３０は、スライド動作が上向きのスライド動作であった場合に、複数の分類ラベルを含む分類オプション領域を表示スクリーンの下部に表示するよう構成されている。
【００８０】
いくつかの実施形態において、表示ユニット９３０は、スライド動作が右向きのスライド動作であった場合に、複数の分類ラベルを含む分類オプション領域を表示スクリーンの左側に表示するよう構成されている。
【００８１】
いくつかの実施形態において、表示ユニット９３０は、スライド動作が左向きのスライド動作であった場合に、複数の分類ラベルを含む分類オプション領域を表示スクリーンの右側に表示するよう構成されている。
【００８２】
いくつかの実施形態において、変更ユニット９５０は、設定された速度および設定された順序に従って、表示をトリガされた分類オプション領域から選択されている分類ラベルを順に変更するよう構成されている。
【００８３】
いくつかの実施形態において、取得ユニット９１０は、表示ユニット９３０が複数の分類ラベルを含む分類オプション領域を表示した後に、スライド動作の現在のスライド方向を決定するよう構成されている。
【００８４】
いくつかの実施形態において、表示ユニット９３０は、スライド動作の現在のスライド方向に対応する方向に従って、表示をトリガされた分類オプション領域から選択されている分類ラベルを順に変更するよう構成されている。
【００８５】
いくつかの実施形態において、取得ユニット９１０は、表示ユニット９３０が複数の分類ラベルを含む分類オプション領域を表示した後に、スライド動作の現在のスライド速度を決定するよう構成されている。
【００８６】
いくつかの実施形態において、表示ユニット９３０は、スライド動作の現在のスライド速度に対応する速度およびスライド動作の現在のスライド方向に対応する方向に従って、表示をトリガされた分類オプション領域から選択されている分類ラベルを順に変更するよう構成されている。
【００８７】
上述の各ユニットの機能は、図１Ｂおよび図２に記載した処理の適切な処理工程に対応しうる。したがって、ユニットのさらなる説明は、簡単のために省略する。
【００８８】
いくつかの実施形態において、携帯型デバイスは、携帯型デバイスの表示スクリーン上で受信したスライド動作を取得し、スライド動作が指定スライド動作であるか否かを判定し、スライド動作が指定スライド動作であった場合に、複数の分類ラベルを含む分類オプション領域を表示し、複数の分類ラベルの中から分類ラベルを選択し、選択されている分類ラベルを順に変更し、表示スクリーンとの接触が終わった時に、現在の分類ウェブページを現在選択されている分類ラベルに対応する分類ウェブページに切り替えるよう構成されている。上記の処理は、分類ウェブページ間の切り替えの効率を向上させる。
【００８９】
上述のユニットは、１または複数の汎用プロセッサ上で実行されるソフトウェアコンポーネントとして、特定の機能を実行するよう設計されたプログラム可能論理デバイスおよび／または特定用途向け集積回路などのハードウェアとして、もしくは、それらの組み合わせとして実装することができる。いくつかの実施形態において、ユニットは、コンピュータデバイス（パーソナルコンピュータ、サーバ、ネットワーク装置など）に本発明の実施形態に記載された方法を実行させるための複数の命令など、不揮発性記憶媒体（光学ディスク、フラッシュ記憶装置、携帯用ハードディスクなど）に格納することができるソフトウェア製品の形態で具現化されてよい。ユニットは、単一のデバイス上に実装されてもよいし、複数のデバイスにわたって分散されてもよい。ユニットの機能は、互いに統合されてもよいし、複数のサブユニットにさらに分割されてもよい。
【００９０】
上述の実施形態は、理解しやすいようにいくぶん詳しく説明されているが、本発明は、提供された詳細事項に限定されるものではない。本発明を実施する多くの代替方法が存在する。開示された実施形態は、例示であり、限定を意図するものではない。
適用例１：分類ウェブページ切り替え方法であって、タッチセンシティブ表示スクリーンを介して、ユーザが実行するスライド動作に関する情報を受信し、前記スライド動作が指定スライド動作であるか否かを判定し、前記スライド動作が前記指定スライド動作であった場合に、複数の分類ラベルを含む分類オプション領域を表示し、前記複数の分類ラベルの中から分類ラベルを選択し、前記スライド動作に基づいて、前記複数の分類ラベルの中から選択されている前記分類ラベルを順に変更し、前記スライド動作の前記タッチセンシティブ表示スクリーンとの接触が終わった時に、現在の分類ウェブページを前記選択されている分類ラベルに対応する分類ウェブページに切り替えること、を備える、方法。
適用例２：適用例１に記載の方法であって、前記スライド動作が前記指定スライド動作であった場合、前記複数の分類ラベルを含む前記分類オプション領域を表示することは、前記スライド動作が下向きのスライド動作であった場合に、前記複数の分類ラベルを含む前記分類オプション領域を前記タッチセンシティブ表示スクリーンの上部に表示することを含む、方法。
適用例３：適用例１に記載の方法であって、前記スライド動作が前記指定スライド動作であった場合、前記複数の分類ラベルを含む前記分類オプション領域を表示することは、前記スライド動作が上向きのスライド動作であった場合に、前記複数の分類ラベルを含む前記分類オプション領域を前記タッチセンシティブ表示スクリーンの下部に表示する工程、前記スライド動作が右向きのスライド動作であった場合に、前記複数の分類ラベルを含む前記分類オプション領域を前記タッチセンシティブ表示スクリーンの左側に表示する工程、および、前記スライド動作が左向きのスライド動作であった場合に、前記複数の分類ラベルを含む前記分類オプション領域を前記タッチセンシティブ表示スクリーンの右側に表示する工程の内の１工程を含む、方法。
適用例４：適用例１に記載の方法であって、前記スライド動作が前記指定スライド動作であった場合、前記複数の分類ラベルを含む前記分類オプション領域を表示することは、表示をトリガされた前記分類オプション領域から選択されている前記分類ラベルが、設定された速度および設定された方向に従って、順に変更されることを含む、方法。
適用例５：適用例１に記載の方法であって、前記スライド動作が前記指定スライド動作であった場合、前記複数の分類ラベルを含む前記分類オプション領域を表示することは、さらに、前記スライド動作の現在のスライド方向を決定することを含み、前記複数の分類ラベルの中から選択されている前記分類ラベルを順に変更することは、前記スライド動作の前記現在のスライド方向に対応する方向に従って行われる、方法。
適用例６：適用例５に記載の方法であって、前記スライド動作が前記指定スライド動作であった場合、前記複数の分類ラベルを含む前記分類オプション領域を表示することは、さらに、前記スライド動作の現在のスライド速度を決定することを含み、前記複数の分類ラベルの中から選択されている前記分類ラベルを順に変更することは、前記スライド動作の前記現在のスライド速度に対応する速度および前記スライド動作の前記現在のスライド方向に対応する前記方向に従って行われる、方法。
適用例７：適用例１に記載の方法であって、前記スライド動作は、前記分類オプション領域と異なる前記タッチセンシティブ表示スクリーン上の領域で行われる、方法。
適用例８：分類ウェブページ切り替えのための携帯型デバイスであって、タッチセンシティブ表示スクリーンと、少なくとも１つのプロセッサであって、前記タッチセンシティブ表示スクリーンを介して、ユーザが実行するスライド動作に関する情報を受信し、前記スライド動作が指定スライド動作であるか否かを判定し、前記スライド動作が前記指定スライド動作であった場合に、複数の分類ラベルを含む分類オプション領域を表示し、前記複数の分類ラベルの中から分類ラベルを選択し、前記指定スライド動作に基づいて、前記複数の分類ラベルの中から選択されている前記分類ラベルを順に変更し、前記スライド動作の前記タッチセンシティブ表示スクリーンとの接触が終わった時に、現在の分類ウェブページを前記選択されている分類ラベルに対応する分類ウェブページに切り替えるように構成されている、少なくとも１つのプロセッサと、前記少なくとも１つのプロセッサに接続され、前記少なくとも１つのプロセッサに命令を提供するように構成されたているメモリと、を備える、デバイス。
適用例９：適用例８に記載のデバイスであって、前記分類オプション領域の表示は、前記スライド動作が下向きのスライド動作であった場合、前記複数の分類ラベルを含む前記分類オプション領域を前記タッチセンシティブ表示スクリーンの上部に表示すること、前記スライド動作が上向きのスライド動作であった場合、前記複数の分類ラベルを含む前記分類オプション領域を前記タッチセンシティブ表示スクリーンの下部に表示すること、前記スライド動作が右向きのスライド動作であった場合、前記複数の分類ラベルを含む前記分類オプション領域を前記タッチセンシティブ表示スクリーンの左側に表示すること、前記スライド動作が左向きのスライド動作であった場合、前記複数の分類ラベルを含む前記分類オプション領域を前記タッチセンシティブ表示スクリーンの右側に表示すること、を含む、デバイス。
適用例１０：適用例８に記載のデバイスであって、前記分類オプション領域の表示は、設定された速度および設定された方向に従って、表示をトリガされた前記分類オプション領域から選択されている前記分類ラベルを順に変更することを含む、デバイス。
適用例１１：適用例８に記載のデバイスであって、さらに、前記複数の分類ラベルを含む前記分類オプション領域の表示後に、前記スライド動作の現在のスライド方向を決定し、前記スライド動作の前記現在のスライド方向に対応する方向に従って、表示のために選択された前記分類オプション領域から選択されている前記分類ラベルを順に変更する、デバイス。
適用例１２：適用例８に記載のデバイスであって、前記スライド動作は、前記分類オプション領域と異なる前記タッチセンシティブ表示スクリーン上の領域で行われる、デバイス。
適用例１３：分類ウェブページ切り替えのためのコンピュータプログラム製品であって、前記コンピュータプログラム製品は、持続性のコンピュータ読み取り可能な記憶媒体内に具現化され、タッチセンシティブ表示スクリーンを介して、ユーザが実行するスライド動作に関する情報を受信するためのコンピュータ命令と、前記スライド動作が指定スライド動作であるか否かを判定するためのコンピュータ命令と、前記スライド動作が前記指定スライド動作であった場合に、複数の分類ラベルを含む分類オプション領域を表示するためのコンピュータ命令と、前記複数の分類ラベルの中から分類ラベルを選択するためのコンピュータ命令と、前記スライド動作に基づいて、前記複数の分類ラベルの中から選択されている前記分類ラベルを順に変更するためのコンピュータ命令と、前記スライド動作の前記タッチセンシティブ表示スクリーンとの接触が終わった時に、現在の分類ウェブページを前記選択されている分類ラベルに対応する分類ウェブページに切り替えるためのコンピュータ命令と、を備える、コンピュータプログラム製品。
適用例１４：適用例１３に記載のコンピュータプログラム製品であって、前記スライド動作が前記指定スライド動作であった場合、前記複数の分類ラベルを含む前記分類オプション領域を表示することは、前記スライド動作が下向きのスライド動作であった場合、前記複数の分類ラベルを含む前記分類オプション領域を前記タッチセンシティブ表示スクリーンの上部に表示することを含む、コンピュータプログラム製品。
適用例１５：適用例１３に記載のコンピュータプログラム製品であって、前記スライド動作が指定スライド動作であった場合、前記複数の分類ラベルを含む前記分類オプション領域を表示することは、前記スライド動作が上向きのスライド動作であった場合、前記複数の分類ラベルを含む前記分類オプション領域を前記タッチセンシティブ表示スクリーンの下部に表示すること、前記スライド動作が右向きのスライド動作であった場合、前記複数の分類ラベルを含む前記分類オプション領域を前記タッチセンシティブ表示スクリーンの左側に表示すること、および、前記スライド動作が左向きのスライド動作であった場合、前記複数の分類ラベルを含む前記分類オプション領域を前記タッチセンシティブ表示スクリーンの右側に表示することの内の１つを含む、コンピュータプログラム製品。
適用例１６：適用例１３に記載のコンピュータプログラム製品であって、前記スライド動作が指定スライド動作であった場合、前記複数の分類ラベルを含む前記分類オプション領域を表示することは、表示をトリガされた前記分類オプション領域から選択されている前記分類ラベルが、設定された速度および設定された方向に従って、順に変更されることを含む、コンピュータプログラム製品。
適用例１７：適用例１３に記載のコンピュータプログラム製品であって、前記スライド動作が前記指定スライド動作であった場合、前記複数の分類ラベルを含む前記分類オプション領域を表示することは、さらに、前記スライド動作の現在のスライド方向を決定することを含み、前記複数の分類ラベルの中から選択されている前記分類ラベルを順に変更することは、前記スライド動作の前記現在のスライド方向に対応する方向に従って行われる、コンピュータプログラム製品。
適用例１８：適用例１７に記載のコンピュータプログラム製品であって、前記スライド動作が前記指定スライド動作であった場合、前記複数の分類ラベルを含む前記分類オプション領域を表示することは、さらに、前記スライド動作の現在のスライド速度を決定することを含み、前記複数の分類ラベルの中から選択されている前記分類ラベルを順に変更することは、前記スライド動作の前記現在のスライド速度に対応する速度および前記スライド動作の前記現在のスライド方向に対応する前記方向に従って行われる、コンピュータプログラム製品。
適用例１９：適用例１３に記載のコンピュータプログラム製品であって、前記スライド動作は、前記分類オプション領域と異なる前記タッチセンシティブ表示スクリーン上の領域で行われる、コンピュータプログラム製品。
【図１Ａ】
0005911599.tif 000002
【図１Ｂ】
0005911599.tif 000003
【図２】
0005911599.tif 000004
【図３】
0005911599.tif 000005
【図４】
0005911599.tif 000006
【図５】
0005911599.tif 000007
【図６】
0005911599.tif 000008
【図７】
0005911599.tif 000009
【図８】
0005911599.tif 000010
【図９】
0005911599.tif 000011